(57)【特許請求の範囲】
【請求項１】
ＩＤカードを作成するＩＤカード作成装置であって、
持込顔画像データの入力を受け付ける入力部と、
前記持込顔画像データがＩＤカード専用顔画像データであるか否か判定する第１判定部と、
前記第１判定部によりＩＤカード専用顔画像データでないと判定された持込顔画像データが、ＩＤカードの作成に使用可能か否か判定する第２判定部と、
前記第２判定部により前記持込顔画像データがＩＤカードの作成に使用できないと判定された場合に、申請者を撮像して直接顔画像データを生成する撮像部と、
前記第１判定部によりＩＤカード専用顔画像データと判定された持込顔画像データ、前記第２判定部によりＩＤカードの作成に使用可能と判定された持込顔画像データ、又は前記直接顔画像データに対して画像処理を施し、プリント用顔画像データを生成する画像処理部と、
前記プリント用顔画像データをカード基材にプリントしてＩＤカードを作成するプリンタと、
を備えるＩＤカード作成装置。
【請求項２】
前記第２判定部は、前記持込顔画像データの解像度、画像サイズ、及び背景色が所定の条件を満たしているか否か判定することを特徴とする請求項１に記載のＩＤカード作成装置。
【請求項３】
前記ＩＤカード専用顔画像データであると判定された持込顔画像データは暗号化処理が施されており、前記画像処理部はこの持込顔画像データの復号化処理を行うことを特徴とする請求項１又は２に記載のＩＤカード作成装置。
【請求項４】
利用者の顔画像を撮像する証明写真撮影装置と、
請求項１乃至３のいずれかに記載のＩＤカード作成装置と、
を備えるＩＤカード作成システムであって、
前記証明写真撮影装置は、証明写真の用途の選択を受け付ける用途選択部を有し、用途としてＩＤカードが選択された場合、利用者の顔画像を撮像して、前記ＩＤカード専用顔画像データを生成して出力することを特徴とするＩＤカード作成システム。
【請求項５】
前記証明写真撮影装置は、前記ＩＤカード専用顔画像データに暗号化処理を施して出力することを特徴とする請求項４に記載のＩＤカード作成システム。
【請求項６】
前記証明写真撮影装置は、前記ＩＤカード専用顔画像データを前記ＩＤカード作成装置と通信可能に接続されているサーバ装置へ送信することを特徴とする請求項４に記載のＩＤカード作成システム。
【発明の詳細な説明】
【技術分野】
【０００１】
本発明は、申請者が希望する顔画像を採用することが可能なＩＤカード作成装置及びＩＤカード作成システムに関する。
【背景技術】
【０００２】
身分証明書などの身分確認時に用いられるＩＤカードには、例えば、氏名、住所などの文字、会員番号や個人を識別できる数字等とともに、顔画像が印刷されている。このようなＩＤカードを作成する場合、申請者は予め申請書に必要事項を記入して提出するとともに、申請者の顔画像をカメラにより撮像する。
【０００３】
通常、カメラによる申請者の顔画像の撮像は申請場所にて行われるが、申請者によっては自分が希望する顔画像を予め入手してこれを持込み、持込んだ顔画像をＩＤカードに印刷することを希望する場合がある。
【０００４】
現在、申請者による顔画像の持込みは、例えば、顔画像をプリントした写真を申請書に貼付し、この写真をスキャナで読み取ることで行われている。また、顔画像データが格納された可搬記憶媒体を申請者が持込み、可搬記憶媒体から顔画像データを取り込むことも行われている。
【０００５】
しかし、写真をスキャナで読み取ると、ＩＤカードに印刷される顔画像の画像品質が劣化し、申請者の要求品質を満たさない場合があった。可搬記憶媒体により顔画像データを持ち込む場合は、画像品質の劣化を防止できるが、持ち込まれた顔画像データがＩＤカードへの印刷に不適当なものである場合がある。そのため、係員等が、持ち込まれた顔画像データをディスプレイに表示して確認する必要があり、手間がかかっていた。
【先行技術文献】
【特許文献】
【０００６】
【特許文献１】特開２０１４−８３７０４号公報
【発明の概要】
【発明が解決しようとする課題】
【０００７】
本発明は、上記従来の実状に鑑みてなされたものであり、持込顔画像データの適否判定を容易に行うことができるＩＤカード作成装置及びＩＤカード作成システムを提供することを課題とする。
【課題を解決するための手段】
【０００８】
本発明の一態様によるＩＤカード作成装置は、ＩＤカードを作成するＩＤカード作成装置であって、持込顔画像データの入力を受け付ける入力部と、前記持込顔画像データがＩＤカード専用顔画像データであるか否か判定する第１判定部と、前記第１判定部によりＩＤカード専用顔画像データでないと判定された持込顔画像データが、ＩＤカードの作成に使用可能か否か判定する第２判定部と、前記第２判定部により前記持込顔画像データがＩＤカードの作成に使用できないと判定された場合に、申請者を撮像して直接顔画像データを生成する撮像部と、前記第１判定部によりＩＤカード専用顔画像データと判定された持込顔画像データ、前記第２判定部によりＩＤカードの作成に使用可能と判定された持込顔画像データ、又は前記直接顔画像データに対して画像処理を施し、プリント用顔画像データを生成する画像処理部と、前記プリント用顔画像データをカード基材にプリントしてＩＤカードを作成するプリンタと、を備えるものである。
【０００９】
本発明の一態様によるＩＤカード作成装置において、前記第２判定部は、前記持込顔画像データの解像度、画像サイズ、及び背景色が所定の条件を満たしているか否か判定することを特徴とする。
【００１０】
本発明の一態様によるＩＤカード作成装置において、前記ＩＤカード専用顔画像データであると判定された持込顔画像データは暗号化処理が施されており、前記画像処理部はこの持込顔画像データの復号化処理を行うことを特徴とする。
【００１１】
本発明の一態様によるＩＤカード作成システムは、利用者の顔画像を撮像する証明写真撮影装置と、上記ＩＤカード作成装置と、を備えるＩＤカード作成システムであって、前記証明写真撮影装置は、証明写真の用途の選択を受け付ける用途選択部を有し、用途としてＩＤカードが選択された場合、利用者の顔画像を撮像して、前記ＩＤカード専用顔画像データを生成して出力することを特徴とする。
【００１２】
本発明の一態様によるＩＤカード作成システムにおいて、前記証明写真撮影装置は、前記ＩＤカード専用顔画像データに暗号化処理を施して出力することを特徴とする。
【００１３】
本発明の一態様によるＩＤカード作成システムにおいて、前記証明写真撮影装置は、前記ＩＤカード専用顔画像データを前記ＩＤカード作成装置と通信可能に接続されているサーバ装置へ送信することを特徴とする。
【発明の効果】
【００１４】
本発明によれば、ＩＤカード作成にあたり、申請者により持ち込まれた持込顔画像データの適否判定を容易に行うことができる。
【図面の簡単な説明】
【００１５】
【図１】本発明の実施形態に係るＩＤカード作成システムの概略構成図である。
【図２】ＩＤカードの表面を示す図である。
【図３】同実施形態に係る証明写真撮影装置の概略構成図である。
【図４】演算制御装置の概略構成図である。
【図５】画像処理プログラムの実行により実現される機能ブロック図である。
【図６】同実施形態に係るＩＤカード作成装置の概略構成図である。
【図７】同実施形態に係るＩＤカード作成方法を説明するフローチャートである。
【図８】変形例によるＩＤカード作成システムの概略構成図である。
【発明を実施するための形態】
【００１６】
以下、本発明の実施の形態を図面に基づいて説明する。
【００１７】
図１は、本発明の実施形態に係るＩＤカード作成システムの概略構成図である。図１に示すように、ＩＤカード作成システムは、証明写真撮影装置１と、ＩＤカード発行所に設けられたＩＤカード作成装置３とを備えるものである。
【００１８】
ＩＤカード作成の申請を行う申請者Ｐは、証明写真撮影装置１でＩＤカードにプリントするための顔画像を撮影し、顔画像データを自身が所有する携帯端末２に格納する。携帯端末２は、無線通信機能を有しており、例えばスマートフォンやタブレット端末を用いることができる。申請者Ｐは、ＩＤカード発行所において、ＩＤカード作成の申請書を提出すると共に、携帯端末２からＩＤカード作成装置３へ顔画像データを転送する。
【００１９】
ＩＤカード作成装置３は、申請書の記載事項と、携帯端末２から転送された顔画像とをカード基材にプリントして、ＩＤカード４を作成する。例えば、図２に示すように、ＩＤカード４は、カード基材４１とＩＣチップ４２とを含む運転免許証のようなＩＣカードであり、カード表面には氏名・住所等の文字や数字からなる印字部４３、及び顔画像４４が設けられている。ＩＣチップ４２には、印字部４３に印字された情報や、顔画像４４の画像データ等が格納される。
【００２０】
図３に示すように、証明写真撮影装置１は、申請者Ｐの撮影を行う撮影空間を有するボックス型の撮影装置であり、申請者Ｐを撮影して撮影画像データを生成する撮影装置１２と、この撮影画像データに対して画像処理を施す演算制御装置１０と、申請者Ｐから各種指示を受け付けると共に、プレビュー画像や各種情報を表示するタッチパネル（指示受付部及び表示部）１４と、撮影装置１２が申請者Ｐを撮影する際に光を照射するストロボ１８と、を備える。
【００２１】
この証明写真撮影装置１は、人物画像と背景画像を合成した合成画像を作成することができる。そのため、証明写真撮影装置１における申請者Ｐの背中側の壁紙は、後述するクロマキー合成に適した色、例えば青色や黄緑色になっている。また、証明写真撮影装置１には、合成画像を印画物にプリントして出力するプリンタ１６が設けられている。プリンタ１６のプリント方式は特に限定されず、インクジェット方式、昇華型熱転写方式、溶融型熱転写方式等を用いることができる。
【００２２】
撮影装置１２は、例えばデジタルカメラであり、レンズ、シャッタ、ＣＭＯＳセンサ、Ａ／Ｄ変換器等を有する。撮影装置１２が申請者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１２は、撮影画像データを演算制御装置１０へ出力する。
【００２３】
タッチパネル１４は、操作ボタンを表示し、操作ボタンが押されると、その操作ボタンに対応した操作指示を受け付ける。例えば、タッチパネル１４は、ユーザ（申請者Ｐ）から、証明写真の用途や出力形式の指示を受け付ける。証明写真の用途は、例えば、運転免許証等のＩＤカードや、履歴書、パスポート申請などの申請書、資格・試験などの受験票用等である。出力形式は、印画紙、又はデジタルデータである。
【００２４】
出力形式として印画紙が選択された場合は、プリンタ１６により合成画像が印画紙にプリントされて出力される。出力形式としてデジタルデータが選択された場合は、証明写真撮影装置１は、画像データを、申請者Ｐが所有する携帯端末２や、ＵＳＢメモリ等の可搬記憶媒体に格納するように出力する。
【００２５】
また、タッチパネル１４は、複数の背景画像候補を表示するとともに、ユーザから背景画像の選択指示を受け付けることができる。
【００２６】
証明写真撮影装置１には、申請者Ｐが印画物の代金として支払う貨幣を受け入れたり、釣銭を払い出したりする課金部（図示せず）がさらに設けられている。また、証明写真撮影装置１に、電子マネーでの支払いを受け付ける課金部が設けられていてもよい。
【００２７】
演算制御装置１０は、撮影装置１２、タッチパネル１４、プリンタ１６、ストロボ１８、及び課金部に接続されており、各部の制御やデータの受け渡しを行う。
【００２８】
図４に、演算制御装置１０のハードウェア構成を示す。演算制御装置１０は、ＣＰＵ（中央演算処理部）１００、メインメモリ１０２、ディスク装置１０４、入出力部１０６、及び無線通信部１０８を有する。演算制御装置１０の各部はバスを介して接続されている。
【００２９】
ディスク装置１０４は、例えばハードディスクドライブであり、ＣＰＵ１００により実行される画像処理プログラム１１０、及び人物画像に合成される背景画像データ１１２を格納する。背景画像データ１１２は、色や模様の異なる複数の背景画像のデータを含む。
【００３０】
ＣＰＵ１００は、ディスク装置１０４内の画像処理プログラム１１０をメインメモリ１０２にロードして、画像処理プログラム１１０を実行する。
【００３１】
図５に、ＣＰＵ１００が画像処理プログラム１１０を実行することで実現される機能ブロック図を示す。画像処理プログラム１１０の実行により、用途選択部１２０、出力形式選択部１２２、背景選択部１２４、画像処理部１２６、及び送信制御部１２８が実現される。
【００３２】
用途選択部１２０は、証明写真の複数の用途をタッチパネル１４に表示し、申請者Ｐから用途の選択を受け付ける。出力形式選択部１２２は、タッチパネル１４を介して、申請者Ｐから、撮影した画像を印画紙にプリントして出力するか、ＵＳＢメモリ等の記憶媒体にデータとして出力するか、又はデータを携帯端末２に転送するかの選択を受け付ける。
【００３３】
背景選択部１２４は、用途選択部１２０が受け付けた証明写真の用途に対応する複数の背景画像候補を背景画像データ１１２から取り出し、タッチパネル１４に表示する。背景選択部１２４は、タッチパネル１４を介して申請者Ｐから背景画像の選択指示を受け付ける。例えば、証明写真の用途として運転免許証等のＩＤカードが選択された場合、単色の薄い灰色、薄い茶色、及び薄い青色の背景画像が候補としてタッチパネル１４に表示される。
【００３４】
背景選択部１２４は、タッチパネル１４を介して申請者Ｐから背景画像の選択指示を受け付けると、選択された背景画像のデータを画像処理部１２６に渡す。
【００３５】
画像処理部１２６は、クロマキー合成による処理を用いて、撮影装置１２により生成された撮影画像内の人物画像と、背景選択部１２４から受け取った背景画像とを合成して、合成画像データを作成する。具体的には、画像処理部１２６は、撮影画像内の人物と背景色との色差を判別し、撮影画像から人物画像を切り抜く。ここで判別される色差とは、色相差、彩度差、又は色相差及び彩度差の組み合わせである。
【００３６】
そして、画像処理部１２６は、背景選択部１２４から受け取った背景画像と、切り抜いた人物画像とを重ね合わせることで、画像合成を行う。
【００３７】
また、画像処理部１２６は、被撮影者（申請者Ｐ）の顔の傾き、目瞑り、口の開き、衣類や頭髪で顔が隠れていないか等を検出し、必要に応じて撮り直しを行い、証明写真に適した顔画像を生成する。
【００３８】
出力形式選択部１２２が、出力形式として印画紙プリントの指示を受け付けている場合、画像処理部１２６は、作成した合成画像データを、プリンタ１６でプリントする写真サイズに対応したサイズに縮小（リサイズ）し、プリント用画像データを生成する。プリンタ１６でプリントされる写真サイズは、用途選択部１２０が受け付けた証明写真の用途に対応している。プリント用画像データは、演算制御装置１０の入出力部１０６を介してプリンタ１６へ出力される。
【００３９】
プリンタ１６は、プリント用画像データを印画紙にプリントして出力する。
【００４０】
出力形式選択部１２２が、出力形式として、ＵＳＢメモリ等の記憶媒体への出力、又は携帯端末２への転送の指示を受け付けている場合、画像処理部１２６は、合成画像データに暗号化処理を施す。特に、用途選択部１２０が受け付けた証明写真の用途が運転免許証等のＩＤカードである場合、画像処理部１２６は、撮影日時の情報を付加した上で暗号化処理を施し、ＩＤカード専用顔画像データを作成する。
【００４１】
証明写真撮影装置１で生成されたＩＤカード専用顔画像データの顔画像は、解像度、画像サイズ、背景、明るさ等、ＩＤカードへの印刷に適したものとなっている。画像処理部１２６は、証明写真撮影装置１においてＩＤカードを用途として撮影を行ったことを示す識別情報を、ＩＤカード専用顔画像データに付加する。
【００４２】
送信制御部１２８は、画像処理部１２６により暗号化処理が施されたデータを、証明写真撮影装置１に接続された記憶媒体に格納したり、無線通信部１０８を介して携帯端末２へ転送したりする。
【００４３】
ＩＤカード作成の申請を行う申請者Ｐは、事前に証明写真撮影装置１にて顔画像を撮影する。この時、申請者Ｐは、用途としてＩＤカードを選択し、出力形式として携帯端末２への転送を選択する。証明写真撮影装置１のタッチパネル１４には、ＩＤカードに適した複数の背景画像の候補が表示され、申請者Ｐは好みのものを選択する。証明写真撮影装置１は、申請者Ｐの顔を撮影し、選択された背景画像と合成し、ＩＤカード専用顔画像データを携帯端末２へ転送する。申請者Ｐは、ＩＤカード専用顔画像データが転送された携帯端末２をＩＤカード発行所へ持参する。
【００４４】
ＩＤカード発行所には、図６に示すＩＤカード作成装置３が設けられている。図６に示すように、ＩＤカード作成装置３は、制御装置３０と、過去に発行されたＩＤカードの所有者の情報や顔画像データを格納するホストサーバ３１と、申請者Ｐの顔画像を撮像する撮像部３２と、申請者Ｐから持ち込まれた顔画像データが入力されるデータ入力部３３と、申請者Ｐから提出された申請書中の文字を読み取る文字情報読取部３４と、表示部３５と、プリンタ３６とを備える。
【００４５】
撮像部３２は、例えばデジタルカメラである。
【００４６】
データ入力部３３は、無線通信機能を有し、携帯端末２から持込顔画像データを受信することができる。また、データ入力部３３は、ＵＳＢメモリ等の記憶媒体に格納された持込顔画像データを読み取ることができる。
【００４７】
申請者Ｐから提出された申請書には氏名や住所等の文字が記載されている。文字情報読取部３４はＯＣＲ（光学文字認識）機能を有し、申請書中の文字を読み取る。読み取られた文字情報は、図２に示すＩＤカード４の印字部４３に印字される。
【００４８】
制御装置３０は、例えばコンピュータからなり、画像取得部３０２、第１判定部３０４、第２判定部３０６、画像処理部３０８を有する。画像取得部３０２は、データ入力部３３を介して、申請者Ｐにより持ち込まれた持込顔画像データを取得する。また、画像取得部３０２は、申請者Ｐが過去にＩＤカードを作成したことがある場合、申請者Ｐが前回ＩＤカードを作成した時の顔画像データ（過去顔画像データ）をホストサーバ３１から取得する。
【００４９】
第１判定部３０４及び第２判定部３０６は、申請者Ｐから持ち込まれた持込顔画像データが、ＩＤカードにプリントするものとして適当か否かを判定する。
【００５０】
第１判定部３０４は、持込顔画像データが、証明写真撮影装置１により作成されたＩＤカード専用顔画像データであるか否か判定する。第１判定部３０４は、持込顔画像データに、上述の証明写真撮影装置１においてＩＤカードを用途として撮影を行ったことを示す識別情報が付加されているか否かを検出し、この識別情報が付加されている場合は、持込顔画像データがＩＤカード専用顔画像データであると判定する。
【００５１】
さらに、第１判定部３０４は、持込顔画像データがＩＤカード専用顔画像データである場合、このＩＤカード専用顔画像データの作成日（撮影日）を検出し、データ作成日が所定期間内であるか否か判定してもよい。例えば、作成するＩＤカードが運転免許証である場合、データ作成日が申請日から６ヶ月以内であるか否か判定される。
【００５２】
識別情報が付加されていない場合、持込顔画像データはＩＤカード専用顔画像データではない。そのため、第２判定部３０４は、持込顔画像データがＩＤカードへのプリントに使用可能となるための条件を満たしているか否かを判定する。例えば、第２判定部３０４は、持込顔画像データの解像度が所定値以上であるか、画像サイズが所定サイズ以上であるか、背景色が所定の色であるか、顔の位置や大きさが所定の範囲に収まっているか、目が開いているか、顔が隠れていないか、適切な表情であるか、作成日（撮影日）が所定期間内であるか等を判定する。
【００５３】
これらの条件が満たされていない場合、第２判定部３０４は持込顔画像データが使用できないと判定する。この場合、撮像部３２により申請者Ｐを撮像して、直接顔画像データを生成する。画像取得部３０２は、撮像部３２により生成された直接顔画像データを取得する。
【００５４】
表示部３５は、例えば液晶ディスプレイであり、持込顔画像データを表示することができる。表示部３５に持込顔画像データを表示し、ＩＤカード発行所の係員が申請者Ｐと同一人物か否か目視確認できるようにしてもよい。
【００５５】
画像処理部３０８は、持込顔画像データがＩＤカード専用顔画像データである場合、復号化処理を行い、顔画像データを復号する。画像処理部３０８は、持込顔画像データ又は直接顔画像データを、ＩＤカードへのプリントに対応したサイズに縮小（リサイズ）し、プリント用顔画像データを生成する。画像処理部３０８は、必要に応じて、トリミングなどの修正を行ってもよい。
【００５６】
また、画像取得部３０２は、持込顔画像データ又は直接顔画像データと、ホストサーバ３１から取り出した過去顔画像データとを比較し、本人確認を行ってもよい。
【００５７】
プリント用画像データと、文字情報読取部３４により読み取られた文字情報とがプリンタ３６へ送信される。プリンタ３６は、カード基材４１に文字情報及びプリント用画像データをプリントして、ＩＤカード４を作成する。
【００５８】
図７は、申請者Ｐにより顔画像データが持ち込まれた場合のＩＤカード作成方法を説明するフローチャートである。
【００５９】
申請者Ｐは、ＩＤカードの作成にあたり、住所や氏名等を記載した申請書を提出する（ステップＳ１０１）。提出された申請書の記載内容は、文字情報読取部３４により読み取られる（ステップＳ１０２）。
【００６０】
データ入力部３３を介して、申請者Ｐにより持ち込まれた顔画像データが入力される（ステップＳ１０３）。例えば、申請者Ｐが所有する携帯端末２から顔画像データが転送されたり、ＵＳＢメモリ等の記憶媒体から顔画像データを読み出したりする。
【００６１】
第１判定部３０４が、持込顔画像データに、証明写真撮影装置１においてＩＤカードを用途として撮影を行ったことを示す識別情報が付加されているか否かを検出する（ステップＳ１０４）。
【００６２】
識別情報が付加されている場合、持込顔画像データはＩＤカード専用顔画像データであると判定し（ステップＳ１０４＿Ｙｅｓ）、画像処理部３０８が、ＩＤカード専用顔画像データに対し復号化処理を行い、顔画像データを復号する（ステップＳ１０５）。
【００６３】
識別情報が付加されていない場合、持込顔画像データはＩＤカード専用顔画像データでないと判定し（ステップＳ１０４＿Ｎｏ）、第２判定部３０４により、持込顔画像データがＩＤカードへのプリントに使用可能となるための条件を満たしているか否か判定される（ステップＳ１０６）。例えば、持込顔画像データの画像サイズ、背景色、顔の位置や大きさ、表情等が所定の条件を満たしているか否か判定される。
【００６４】
条件が満たされている場合、持込顔画像データが使用可能と判定される（ステップＳ１０６＿Ｙｅｓ）。条件が満たされていない場合、持込顔画像データはＩＤカードに使用できないと判定され（ステップＳ１０６＿Ｎｏ）、撮像部３２により申請者Ｐを撮像して、直接顔画像データを生成する（ステップＳ１０７）。
【００６５】
画像処理部３０８が、持ち込まれたＩＤカード専用顔画像データ、又は各種条件を満たした持込顔画像データ、又は直接顔画像データに対し、必要に応じてリサイズやトリミング等の画像処理を施し、プリント用顔画像データを生成する（ステップＳ１０８）。
【００６６】
プリント用画像データと、ステップＳ１０２で文字情報読取部３４により読み取られた文字情報とがプリンタ３６へ転送される。プリンタ３６が、プリント用画像データ及び文字情報を用いて、カード基材４１に印字部４３及び顔画像４４をプリントしてＩＤカード４を作成する（ステップＳ１０９）。また、図示しないデータ格納部により、プリント用画像データ及び文字情報がＩＣチップ４２に格納される。
【００６７】
このように、本実施形態によれば、証明写真撮影装置１によりＩＤカード用に撮影されたＩＤカード専用顔画像データには、そのことを示す識別情報が付されている。ＩＤカード作成装置３は、申請者Ｐから持ち込まれた持込顔画像データに、この識別情報が付されている場合、顔画像データの解像度や背景色等をチェックすることなく、ＩＤカードへのプリントに利用可能と速やかに判定することができる。
【００６８】
ＩＤカード専用顔画像データは暗号化されて携帯端末２等に保存されるため、申請者Ｐによる加工・改変を防止できる。
【００６９】
ＩＤカード作成装置３は、識別情報が付されていない持込顔画像データについてのみ、顔画像データの解像度や背景色等をチェックし、使用可能か否か判定すればよい。そのため、申請者Ｐにより持ち込まれた持込顔画像データの適否判定を容易に行うことができる。
【００７０】
上記実施形態では、証明写真撮影装置１が、識別情報の付されたＩＤカード専用顔画像データを申請者Ｐが所有する携帯端末２等へ出力する例について説明したが、図８に示すように、ＩＤカード専用顔画像データをサーバ装置５へ送信し、格納するようにしてもよい。
【００７１】
この場合、証明写真撮影装置１は、申請者Ｐを特定する個人特定情報の入力を受け付け、ＩＤカード専用顔画像データと個人特定情報とを紐付けてサーバ装置５へ送信する。個人特定情報には様々なものを使用することができ、例えば、ＩＤカード発行組織における登録番号でもよいし、申請者Ｐの電話番号等でもよいし、携帯端末２にインストールされている専用アプリのアプリＩＤでもよい。
【００７２】
ＩＤカード作成装置３は、申請者Ｐから個人特定情報の入力を受け付けると、サーバ装置５から、この個人特定情報に紐付けられたＩＤカード専用顔画像データを取り出す。個人特定情報の入力は、文字情報読取部３４による申請書の文字の読み取りでもよいし、携帯端末２をかざしてアプリＩＤ等を受信することでもよい。
【００７３】
サーバ装置５から取り出す顔画像データは証明写真撮影装置１により作成されたＩＤカード専用顔画像データであることが明らかであるため、上述したような識別情報は付加しなくてよい。また、サーバ装置５に格納しておくことで、顔画像データの加工・改変を防止できるため、ＩＤカード専用顔画像データの暗号化処理は省略してもよい。
【００７４】
ＩＤカード作成装置３を運転免許証（以下、免許証と記載する）の更新発行装置として使用する場合、ホストサーバ３１は、免許証の所有者の過去顔画像データと、免許証に記載される個人情報とを、免許証番号に紐付けて格納する。免許証に記載される個人情報は、例えば、住所、氏名、免許種類情報が含まれる。免許証の所有者が引っ越しをしたり、改名をしたりした場合は、ホストサーバ３１内の個人情報が変更される。
【００７５】
免許証の更新時に所有者が個人情報の変更申請を行った場合、受付のオペレータが申請書の変更内容を確認し、受付端末を操作して、ホストサーバ３１内の個人情報を更新する。制御装置３０は、免許証更新申請者の免許証番号に紐付けられている個人情報をホストサーバ３１から取り出し、プリント用画像データ（持込顔画像データ又は直接顔画像データ）と、ホストサーバ３１から取り出した個人情報とをプリンタ３６へ送信し、新しい免許証を作成する。
【００７６】
新たな免許証の発行に伴い、免許証にプリントされた持込顔画像データ又は直接顔画像データが、免許証番号に紐付けられてホストサーバ３１に格納され、免許証所有者の過去顔画像データが更新される。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７８】
１  証明写真撮影装置
２  携帯端末
３  ＩＤカード作成装置
４  ＩＤカード
５  サーバ装置
【図１】
0006492964.tif 000002
【図２】
0006492964.tif 000003
【図３】
0006492964.tif 000004
【図４】
0006492964.tif 000005
【図５】
0006492964.tif 000006
【図６】
0006492964.tif 000007
【図７】
0006492964.tif 000008
【図８】
0006492964.tif 000009